(57)【要約】【課題】足裏に水を浴びせることにより、足裏をマッサージする水圧式足裏マッサージ装置であって、マッサージ感を損なうことのない水圧式足裏マッサージ装置を提供する。【解決手段】足裏を載せる足裏支持部と、この足裏支持部よりも窪んだ位置に設けられ、足裏に水を吐水する吐水口を有する吐水体と、前記吐水口から吐水可能とする吐水開閉弁とを備え、前記吐水体は、前記吐水口を有する吐水体表面が平板状であり、この吐水体表面が回転することによって前記吐水口の位置が回転するとともに、前記吐水体表面において、前記吐水口の回転方向前方側近傍を塞ぐように突起を設けた。【選択図】  図１
2006280429.tif 000002
【特許請求の範囲】
【請求項１】
足裏に水を浴びせることにより、足裏をマッサージする水圧式足裏マッサージ装置であって、前記水圧式足裏マッサージ装置は、足裏を載せる足裏支持部と、この足裏支持部よりも窪んだ位置に設けられ、足裏に水を吐水する吐水口を有する吐水体と、前記吐水口から吐水可能とする吐水開閉弁とを備え、前記吐水体は、前記吐水口を有する吐水体表面が平板状であり、この吐水体表面が回転することによって前記吐水口の位置が回転するとともに、前記吐水体表面において、前記吐水口の回転方向前方側近傍を塞ぐように突起を設けたことを特徴とする水圧式足裏マッサージ装置。
【請求項２】
足裏に水を浴びせることにより、足裏をマッサージする水圧式足裏マッサージ装置であって、前記水圧式足裏マッサージ装置は、足裏を載せる足裏支持部と、この足裏支持部よりも窪んだ位置に設けられ、足裏に水を吐水する吐水口を有する吐水体と、前記吐水口から吐水可能とする吐水開閉弁とを備え、前記吐水体は、前記吐水口を有する吐水体表面が平板状であり、この吐水体表面が回転することによって前記吐水口の位置が回転するとともに、前記吐水口が前記吐水体表面から突起していることを特徴とする水圧式足裏マッサージ装置。
【発明の詳細な説明】
【技術分野】
【０００１】
本発明は、浴室内に設置され、使用者の足裏に水を浴びさせることができる水圧式足裏マッサージ装置に関するものである。
【背景技術】
【０００２】
従来の水圧式足裏マッサージ装置においては、吐水体上部に足置き台を備え、その足置き台の上に足を載せて使用するものが提案されている（例えば、特許文献１参照のこと）。
【特許文献１】特開２００４−２６７６５６
【発明の開示】
【発明が解決しようとする課題】
【０００３】
しかしながら、このものにおいては吐水体より吐水した水が足裏に当たって跳ね返り、更には吐水口付近にたまるため、吐水口からの吐水を妨げマッサージ感が損なわれるという問題があった。
【０００４】
本発明の目的は、上記課題を解決するためになされたもので、足裏に水を浴びせることにより、足裏をマッサージする水圧式足裏マッサージ装置であって、マッサージ感を損なうことのない水圧式足裏マッサージ装置を提供することにある。
【課題を解決するための手段】
【０００５】
上記課題を解決するために請求項１は、足裏に水を浴びせることにより、足裏をマッサージする水圧式足裏マッサージ装置であって、前記水圧式足裏マッサージ装置は、足裏を載せる足裏支持部と、この足裏支持部よりも窪んだ位置に設けられ、足裏に水を吐水する吐水口を有する吐水体と、前記吐水口から吐水可能とする吐水開閉弁とを備え、前記吐水体は、前記吐水口を有する吐水体表面が平板状であり、この吐水体表面が回転することによって前記吐水口の位置が回転するとともに、前記吐水体表面において、前記吐水口の回転方向前方側近傍を塞ぐように突起を設けたことを特徴とする。
これにより、足裏に当たって跳ね返った水が吐水体からの吐水を妨げることがなく、常に快適なマッサージ感を得ることができる。
【０００６】
また、請求項２は、足裏に水を浴びせることにより、足裏をマッサージする水圧式足裏マッサージ装置であって、前記水圧式足裏マッサージ装置は、足裏を載せる足裏支持部と、この足裏支持部よりも窪んだ位置に設けられ、足裏に水を吐水する吐水口を有する吐水体と、前記吐水口から吐水可能とする吐水開閉弁とを備え、前記吐水体は、前記吐水口を有する吐水体表面が平板状であり、この吐水体表面が回転することによって前記吐水口の位置が回転するとともに、、前記吐水口が前記吐水体表面から突起していることを特徴とする。
【０００７】
これにより、足裏に当たって跳ね返った水が吐水体からの吐水を妨げることがなく、常に快適なマッサージ感を得ることができる。
【発明の効果】
【０００８】
本発明は以上のように構成したので、吐水体より吐水された湯水が足の裏に当たって跳ね返り、吐水体の方に落ちてきた場合でも、跳ね返った湯水が吐水を妨げることがなく、常に快適なマッサージ感を得ることができる。
【発明を実施するための最良の形態】
【０００９】
以上説明した本発明の構成・作用を一層明らかにするために、以下本発明の好適な実施例について図１〜１０を用いて簡単に説明する。
図１は、水圧式足裏マッサージ装置の実施例を示した図である。図２は、水圧式足裏マッサージ装置の構造を示した縦断面図である。図３は、水圧式足裏マッサージ装置の吐水体外部観を示した図である。図４は、水圧式足裏マッサージ装置の吐水体の別の実施形態を示した図である。図５は、水圧式足裏マッサージ装置の実施例を示す圧力開閉弁の構造を示した断面図である。図６は、水圧式足裏マッサージ装置を使用していない時の状態を示した断面図である。図７は、水圧式足裏マッサージ装置を使用している時の状態を示した断面図である。図８は、吐水開閉弁が開いた状態を示した断面図である。図９は、吐水開閉弁が閉じた状態を示した断面図である。図１０は、足裏マッサージ装置を使用している状態を示した図である。
【００１０】
本実施例において足裏マッサージ装置２は図１に示すように、水栓金具９の吐水口１０に分岐装置６を介して接続し使用するものであり、分岐装置６の下流側は足裏マッサージ装置２、第一のシャワーホース３、ハンドシャワー４、第二のシャワーホース５、から構成されている。本実施例を示す図１において水栓金具９は壁付サーモスタット水栓金具、吐水口１０はシャワー側吐水口としているが、水栓金具９の種類及びその吐水口１０の種類に限定されることなく、開閉弁を備えた水栓金具９の様々な吐水口１０に接続して使用することができる。また、足裏マッサージ装置２を分岐装置を介さず直接水栓金具９に接続してもよい。
【００１１】
分岐装置６は図５に示すように、水栓金具９の吐水口１０に接続するための給水管１１と、第一のシャワーホース３に接続する第一の吐水管１２及び、第二のシャワーホース５に接続する第二の吐水管１３とを備え、それぞれ、水栓金具９の吐水口１０、第一のシャワーホース３、第二のシャワーホース５と接続されている。また、圧力開閉弁８は第二の吐水管１３の内部または下流側に備えられている。
【００１２】
圧力開閉弁８は弁１４、弁座１５、バネ１６から構成され、弁１４はバネ１６によって水の流れとは逆方向に弁座１５に付勢されている。圧力開閉弁８は本実施例の形態に限定されることなく、吐水開閉弁７（図２参照）の操作に伴う圧力開閉弁８の上流側の水圧変動を受けて開閉するものであればよい。
【００１３】
足裏マッサージ装置２は図１及び図２に示すように、第一のシャワーホース３と接続する給水口１７、吐水開閉弁７、平板状の吐水体１８、足裏マッサージ装置本体１９、足裏を載せる足裏支持部である足裏マッサージ装置本体カバー２０から構成されている。また、吐水体１８は、足裏マッサージ装置本体カバー２０より窪んだ位置に設けられている。また、足裏マッサージ装置本体カバー２０は足裏マッサージ装置本体１９に対して摺動可能に取り付けられ、更に吐水開閉弁７の押ボタン２１に当接している。また、足裏マッサージ装置本体１９の底面には内部にたまった湯水を排出するための排水口３５が設けられている。本実施例において足裏マッサージ装置２は使用者の足の裏をマッサージするためのもので、足裏マッサージ装置本体１９を床に置き、足裏マッサージ装置本体カバー２０の上に足を乗せて使用するものである。
【００１４】
吐水体１８は図２及び図３に示すように軸中心に回転する平板状の回転体３０とこれを支持する回転支持台３１とを備え、更に回転体３０には吐水口３２と、吐水口３２の回転方向の前方側近傍を塞ぐように水切り用突起３３を備えている。
この水切り用突起３３は、吐水口により足裏マッサージ装置本体カバー２０内に落ちてきた湯水がはじき飛ばされるため、吐水口３２近傍には湯水がたまることがなく、吐水の妨げになることはない。
【００１５】
図４は水切り用突起３３の別の実施例を示すもので、水切り用突起３３を吐水口３２と別体に構成するのではなく、吐水口３２と水切り用突起３３を一体的に構成した突起３４を吐水体１８に構成したものである。
【００１６】
吐水開閉弁７は図６及び図７に示すように押ボタン２１とこれに連動して動く弁２２、弁座２３、バネ２４、などから構成されており、押ボタン２１を押せば図７のように弁２２が開いて吐水し、押さなければ図６のように弁２２が閉じて止水するよう構成されている。
【００１７】
吐水開閉弁７の構造及び操作方法は本実施例に限定されることなく、吐水開閉弁７は足裏マッサージ装置２の近傍に備えられ、使用者の手元または足元で操作できるものであればよい。
【００１８】
次に本実施例吐水装置の動作について説明する。先ず水栓金具９の吐水口１０から分岐装置６に湯水が給水されると、この時、足裏マッサージ装置２を使用する意思があり、図１０に示すように足裏マッサージ装置２に足を乗せた場合、足裏マッサージ装置本体カバー２０が下方に押し下げられ、これに連動して、押ボタン２１、弁２２が押し下げられることにより、吐水開閉弁７が開くため湯水が吐水体１８に流れ、吐水体１８から湯水が吐水する。
【００１９】
ここで、回転体３０の回転機構について簡単に説明する。
回転体３０は回転支持台３１に回動可能に取付けられている。回転体３０には回転軸から偏心した位置に吐水口３２が設けられており、更に吐水口３２は回転軸に対して傾斜した状態で配置されている。足裏マッサージ装置本体カバー２０に足を載せると吐水開閉弁７が開き、吐水体１８の方に湯水が流入する。
ここで湯水が回転体３０の吐水口３２から流出すると、吐水口３２が回転軸から偏心した位置にあり、かつ回転軸に対して傾斜を持っていることで、水流によって回転力を生み出し回転体３０を回転させ吐水口３２から上方に向かい湯水が吐出される。
【００２０】
この時、吐水体１８から吐水された湯水は足の裏に当たって跳ね返り、吐水体１８の方へ落ちてくることになるが、吐水体１８の回転体３０に備えた水切り用突起３３によって、落ちてきた湯水ははじき飛ばされるため、吐水口３２近傍には湯水がたまることがなく、吐水の妨げになることはない。また、水切り用突起３３によってはじき飛ばされた湯水は、一旦足裏マッサージ装置本体１９の内部に入るが、足裏マッサージ装置本体１９の底面に設けられた排水口３５より外部に排出されるため足裏マッサージ装置２の内部に水が溜まることがない。
本実施例においては吐水口３２は吐水体１８の回転体３０の平板状の上面に配置されているが、これに限定されることなく、例えば図４に示すように回転体３０の上面より高い位置に突起３４を設け、その上面に吐水口を配置すれば、回転体３０の上面にたまった湯水によって吐水口３２が塞がれることがなく、吐水の妨げになることはない。
【００２１】
またこの時、吐水開閉弁７が開いた状態においては、分岐装置６の第二の吐水管の１３の下流側に備えられた圧力開閉弁８には高い水圧がかかることがないため、バネ１６によって弁１４が弁座１５に付勢されており、図８に示すように圧力開閉弁８は閉じたままとなりハンドシャワー４から吐水することはない。
【００２２】
ここで、使用者が足裏マッサージ装置２から足を離すと、バネ２４の付勢力によって弁２２が押し上げられて足裏マッサージ装置２の吐水開閉弁７が閉じ、足裏マッサージ装置２からは吐水しなくなる。このことによって分岐装置６内部の水圧が高くなり、第二の吐水管１３の下流側に備えられた圧力開閉弁８の弁１４が水圧を受け、ついにはバネの付勢力が水圧に負けて図９のように圧力開閉弁８が開き、ハンドシャワー４から湯水が吐水する。
【００２３】
更に、再度足裏マッサージ装置２に足を乗せると、足裏マッサージ装置２から湯水が吐水し、ハンドシャワー４からは吐水しなくなる。このようにして使用者の意思によって何度でも自由に使用したい吐水具を選択し、足裏マッサージ装置２とハンドシャワー４との使用を切替えることができる。
【図面の簡単な説明】
【００２４】
【図１】本発明の水圧式足裏マッサージ装置の実施例を示した図である。
【図２】本発明の水圧式足裏マッサージ装置の構造を示した縦断面図である。
【図３】本発明の水圧式足裏マッサージ装置の吐水体外部観を示した図である。
【図４】本発明の水圧式足裏マッサージ装置の吐水体の別の実施形態を示した図である。
【図５】本発明の水圧式足裏マッサージ装置の実施例を示す圧力開閉弁の構造を示した断面図である。
【図６】本発明の水圧式足裏マッサージ装置を使用していない時の状態を示した断面図である。
【図７】本発明の水圧式足裏マッサージ装置を使用している時の状態を示した断面図である。
【図８】本発明の圧力開閉弁が開いた状態を示した断面図である。
【図９】本発明の圧力開閉弁が閉じた状態を示した断面図である。
【図１０】本発明の足裏マッサージ装置を使用している状態を示した図である。
【符号の説明】
【００２５】
２・・足裏マッサージ装置
３・・第一のシャワーホース          ４・・ハンドシャワー
５・・第二のシャワーホース          ６・・分岐装置
７・・吐水開閉弁                  ８・・圧力開閉弁
９・・水栓金具                    １０・・吐水口
１１・・給水管                      １２・・第一の吐水管
１３・・第二の吐水管                １４・・弁
１５・・弁座                        １６・・バネ
１７・・給水口                      １８・・吐水体
１９・・足裏マッサージ装置本体  
２０・・足裏マッサージ装置本体カバー
２１・・押ボタン                    ２２・・弁
２３・・弁座                        ２４・・バネ
３０・・回転体                      ３１・・回転支持台
３２・・吐水口                      ３３・・水切り用突起
３４・・突起                        ３５・・排水口
【図１】
2006280429.tif 000003
【図２】
2006280429.tif 000004
【図３】
2006280429.tif 000005
【図４】
2006280429.tif 000006
【図５】
2006280429.tif 000007
【図６】
2006280429.tif 000008
【図７】
2006280429.tif 000009
【図８】
2006280429.tif 000010
【図９】
2006280429.tif 000011
【図１０】
2006280429.tif 000012